(57)【特許請求の範囲】
【請求項１】
出湯箇所へ湯を供給可能に構成された給湯部と、
前記給湯部の作動状態を制御する制御部と、
前記制御部に与える指令を利用者操作によって入力可能な操作部と、
を備え、
前記操作部には、情報を表示可能な表示部が付設され、
前記制御部は、
前記給湯部が所定以上の長期間にわたって使用された長期使用状態に至ったか否かを判定する判定部と、
前記判定部によって前記長期使用状態に至っていないと判定された場合と前記長期使用状態に至ったと判定された場合とで、前記表示部において表示される情報の表示状態を変更する表示状態変更部と
を有し、
前記表示部は、情報を常時表示する第一の表示状態、及び情報の表示後に所定の消灯条件が成立すると表示を消灯する第二の表示状態で、情報を表示可能に構成され、
前記表示状態変更部は、前記判定部によって前記長期使用状態に至っていないと判定された場合には、前記第一の表示状態及び前記第二の表示状態のうち、いずれか一方の表示状態で情報を表示し、前記判定部によって前記長期使用状態に至ったと判定された場合には、前記一方の表示状態とは異なる他方の表示状態で情報を表示するように構成されており、
前記表示部は、前記判定部によって前記長期使用状態に至っていないと判定された場合に、前記第一の表示状態及び前記第二の表示状態のうち、いずれの表示状態で情報を表示するのかを、利用者が任意に設定可能に構成され、
前記表示部は、前記長期使用状態に至っているか否かとは異なる内容の情報を表示可能に構成され、
前記表示状態変更部は、前記長期使用状態に至っているか否かとは異なる内容の情報を表示する際の表示状態を、前記一方の表示状態及び前記他方の表示状態のうちのいずれかの表示状態で表示することにより、当該表示状態によって長期使用状態に至っているか否かを報知可能に構成されている
給湯器。
【請求項２】
請求項１に記載の給湯器であって、
前記表示状態変更部は、前記表示部に表示される複数項目の情報のうち、表示状態の変更が許可されている情報については、前記判定部による判定結果に応じて前記情報の表示状態を変更する一方、表示状態の変更が禁止されている情報については、前記情報の表示状態を変更しないように構成されている
給湯器。
【請求項３】
請求項１又は請求項２に記載の給湯器であって、
前記制御部は、前記判定部によって前記長期使用状態に至ったと判定された場合に、その旨の履歴情報を記憶する履歴記憶部を有する
給湯器。
【発明の詳細な説明】
【技術分野】
【０００１】
本発明は、給湯器に関する。
【背景技術】
【０００２】
潜熱回収型の給湯器が知られている（例えば、特許文献１参照。）。この種の潜熱回収型の給湯器には、酸性のドレン（凝縮水）を中和するために中和器が設けられている。中和器内の中和剤は、ドレンの中和に伴って減少する。そのため、給湯器が長期にわたって使用された場合、中和器の保守（中和剤の補充）が必要となる。そこで、この種の給湯器では、中和剤の補充時期が近づいた旨のお知らせ（警告）を表示している。
【０００３】
また、給湯器が長期にわたって使用された場合、給湯器の構成部品等に経年的な劣化が生じることがある。そのような経年的な劣化の発生が予想される場合には、特殊な表示や音声によるお知らせ（警告）を行う、エラーからの復帰操作を複雑にする、などの対応を行うことがある。
【先行技術文献】
【特許文献】
【０００４】
【特許文献１】特開２００９−９２２８６号公報
【発明の概要】
【発明が解決しようとする課題】
【０００５】
しかしながら、上述のような特殊な表示や音声によるお知らせを行っても、そのようなお知らせのみでは、給湯器を使用するに当たって実使用上の不都合がなく、給湯器の利用者は機器の使用を問題なく続けることができる。そのため、給湯器の利用者が業者（メーカーや販売店など。）への問い合わせを行うことなく、給湯器を使い続けてしまう可能性がある。
【０００６】
一方、エラーからの復帰操作を複雑にした場合、専門の技術者が現場へ訪問するまでは、利用者が給湯器を使うことができなくなる。そのため、保守・点検さえ受けてもらえるのであれば、給湯器の使用を直ちに禁止すべき状況にまでは至っていないにもかかわらず、利用者が多大な不便を強いられることになる。
【０００７】
以上のような事情から、保守・点検が必要な時期となった際に、利用者に対して業者への問い合わせを促すことが可能な給湯器を提供することが望ましい。
【課題を解決するための手段】
【０００８】
以下に説明する給湯器は、出湯箇所へ湯を供給可能に構成された給湯部と、給湯部の作動状態を制御する制御部と、制御部に与える指令を利用者操作によって入力可能な操作部とを備え、操作部には、情報を表示可能な表示部が付設され、制御部は、給湯部が所定以上の長期間にわたって使用された長期使用状態に至ったか否かを判定する判定部と、判定部によって長期使用状態に至っていないと判定された場合と長期使用状態に至ったと判定された場合とで、表示部において表示される情報の表示状態を変更する表示状態変更部とを有する。
【０００９】
このように構成された給湯器によれば、給湯部が所定以上の長期間にわたって使用された長期使用状態に至っていない場合と長期使用状態に至った場合とで、表示部において表示される情報の表示状態が変更される。表示状態が変更される情報としては、表示部において表示可能な少なくとも一つの情報のうち、特殊な操作等が行われない限り、通常であれば表示状態が変更されない情報が選ばれる。
【００１０】
このような情報について、利用者は通常であれば表示状態が変わるとは考えていない。そのため、変わるはずのない表示状態が変わった場合には、利用者が違和感を覚え、機器の故障等を疑う。特に、表示状態が利用者にとって不快な状態（例えば、通常であれば常時点灯しているはずなのに点滅する状態、通常よりも輝度が低くて見にくい状態、通常よりも輝度が高くて眩しい状態など。）に変われば、利用者が機器の故障等を直したいと考える可能性も高まる。したがって、給湯器の利用者が業者への問い合わせを行う可能性を高めることができ、利用者が保守・点検を受けないまま給湯器を使い続けてしまうのを抑制することができる。
【図面の簡単な説明】
【００１１】
【図１】図１は給湯器の構成を示す説明図である。
【図２】図２は第一実施形態の給湯器において実行される処理のフローチャートである。
【図３】図３は自動消灯処理のフローチャートである。
【図４】図４は常時点灯処理のフローチャートである。
【図５】図５は第二実施形態の給湯器において実行される処理のフローチャートである。
【図６】図６は第三実施形態の給湯器において実行される処理のフローチャートである。
【発明を実施するための形態】
【００１２】
次に、上述の給湯器について、例示的な実施形態を挙げて説明する。
（１）第一実施形態
まず、第一実施形態について説明する。
【００１３】
［給湯器の構成］
図１に示すように、給湯器１は、図示しない出湯箇所にある給湯栓や浴槽３などへ湯を供給する給湯器能と、浴槽３内にある湯の保温及び追い焚きを行うふろ機能とを備える装置である。
【００１４】
給湯器１は、給湯燃焼室５及びふろ燃焼室６を有する。給湯燃焼室５内には、給湯バーナ１１、給湯一次熱交換器１２Ａ、給湯二次熱交換器１２Ｂ、給湯点火プラグ１３、及び給湯フレームロッド１４などが配設されている。また、ふろ燃焼室６内には、ふろバーナ１５、ふろ一次熱交換器１６Ａ、ふろ二次熱交換器１６Ｂ、ふろ点火プラグ１７、ふろフレームロッド１８、及びふろ燃焼室サーミスタ１９などが配設されている。
【００１５】
給湯一次熱交換器１２Ａは、給湯バーナ１１での燃焼に伴って発生する高温の排気中から主に顕熱を回収する熱交換器である。給湯二次熱交換器１２Ｂは、給湯一次熱交換器１２Ａでの熱交換に伴って温度が低下した排気中から主に潜熱を回収する熱交換器である。ふろ一次熱交換器１６Ａは、ふろバーナ１５での燃焼に伴って発生する高温の排気中から主に顕熱を回収する熱交換器である。ふろ二次熱交換器１６Ｂは、ふろ一次熱交換器１６Ａでの熱交換に伴って温度が低下した排気中から主に潜熱を回収する熱交換器である。
【００１６】
給湯二次熱交換器１２Ｂ及びふろ二次熱交換器１６Ｂでは、相応に相対湿度が高い排気から更に熱を奪う。そのため、排気中の水蒸気が凝縮してドレン（凝縮水）が発生する。このドレンを処理するため、給湯器１には、ドレン排水管２０Ａ，２０Ｂ、中和器２１、及びドレンパン２２が設けられている。ドレンパン２２によって集められたドレンは、ドレン排水管２０Ａを介して中和器２１へと流入する。中和器２１は、窒素酸化物や硫黄酸化物を含有する酸性のドレンを中和するために設けられたものである。中和器２１の内部には、ドレンを中和させる中和剤（例えば、炭酸カルシウム）が充填されている。また、中和器２１の内部には、中和器２１内の水位が上限値を超えたときにオフからオンに切り替わる中和器水位電極２１Ａが設けられている。中和器２１から流出する中和後のドレンはドレン排水管２０Ｂを介して器外へ排出される。
【００１７】
また、給湯器１は、燃焼ファン２３を有し、ファンモータ２３Ａによって燃焼ファン２３を回転駆動することにより、給湯燃焼室５及びふろ燃焼室６への給気ができるように構成されている。給湯燃焼室５及びふろ燃焼室６の上部には、排気トップ２４が設けられ、排気トップ２４を介して給湯燃焼室５及びふろ燃焼室６の外部へ排気ができる構造とされている。また、給湯燃焼室５の近傍には、周囲が異常な高温状態となったときに溶断することで給湯器１の作動を強制停止させる過熱防止装置２５が付設されている。
【００１８】
また、給湯器１は、給湯バーナ１１及びふろバーナ１５へのガス供給路となるガス供給管２６を備えている。このガス供給管２６は、上流端側がガス供給源（例えば、都市ガス内管やプロパンガス用配管等）に接続された本管２６０、及び本管２６０から分岐した支管２６１，２６２，２６３，２６４によって構成され、支管２６１〜２６４を介して給湯バーナ１１及びふろバーナ１５へガスを供給可能に構成されている。ガス供給管２６において、本管２６０には元ガス電磁弁２７及びガス比例弁２８が設けられている。支管２６１〜２６４には給湯ガス電磁弁２９１，２９２，２９３、及びふろガス電磁弁２９４が設けられている。
【００１９】
さらに、給湯器１には、給湯器能用の配管として、給湯二次熱交換器１２Ｂへの入水路をなす給水管３０、給湯一次熱交換器１２Ａからの出湯路をなす出湯管３１、及び給水管３０の流路途中から分岐して出湯管３１へと連通するバイパス管３２が設けられている。また、ふろ機能用の配管として、浴槽３内の湯をふろ二次熱交換器１６Ｂへと戻すふろ戻り流路をなすふろ戻り配管３３、及びふろ一次熱交換器１６Ａから浴槽３へのふろ往き流路をなすふろ往き配管３４が設けられている。これらふろ戻り配管３３及びふろ往き配管３４は、浴槽３からふろ二次熱交換器１６Ｂ、ふろ一次熱交換器１６Ａを経て浴槽３へと戻る循環流路の一部を形成している。出湯管３１とふろ戻り配管３３との間には、出湯管３１の流路途中から分岐してふろ戻り配管３３の流路途中に連通する分岐管３５が設けられている。
【００２０】
これらの配管のうち、給水管３０は、その上流端側が水供給源（例えば、水道管）に接続されている。給水管３０の上流端側から下流端側に至る流路の途中には、上流端側から順に、上流側から下流側へと流れる水を濾過するストレーナ３６、給水管３０内を流れる水量を検出する給湯水量センサ３７、給湯一次熱交換器１２Ａへ流れる水の温度を検出する給湯入水サーミスタ３８、及び給水管３０内を流れる水量を増減制御する水量制御モータ３９などが設けられている。
【００２１】
出湯管３１は、その下流端側が配管を介して出湯箇所に接続される。出湯管３１の上流端側から下流端側に至る流路の途中には、上流端側から順に、空だきを感知した際に給湯器１を強制停止させるための給湯空だき安全装置４０、給湯一次熱交換器１２Ａから流出する湯の温度を検出する給湯熱交換器サーミスタ４１、出湯管３１とバイパス管３２の合流点よりも下流側において湯の温度を検出する給湯出湯サーミスタ４２、出湯管３１内の圧力が過大になったときに作動して圧力を逃がす過圧逃がし弁兼水抜栓４３、及び出湯停止時に発生する水撃作用を緩和する水撃緩衝弁４４などが設けられている。バイパス管３２には、バイパス管３２内を流れる水量を増減制御するバイパス制御モータ４５が設けられている。
【００２２】
分岐管３５は、出湯管３１側を上流側として下流側にあるふろ戻り配管３３への給湯路を形成する配管である。分岐管３５の上流端側から下流端側に至る流路の途中には、分岐管３５を介して浴槽３へ給湯を行う際に開弁される落とし込み水電磁弁４６、分岐管３５を流れる水量を検出するふろ水量センサ４７、及び分岐管３５における逆流を阻止する逆止弁４８Ａ，４８Ｂなどが設けられている。分岐管３５には縁切弁４９が設けられ、上水側（給水管３０側）の水圧低下等に起因して、分岐管３５よりも下流側となるべき流路から上流側となるべき流路へ水を吸い上げてしまうような負圧が生じた際には、縁切弁４９が開くことで、分岐管３５を介して水が逆流するのを防止している。
【００２３】
ふろ戻り配管３３は、上流端側がバスアダプタ５０を介して浴槽３に取り付けられている。ふろ戻り配管３３の上流端側から下流端側に至る流路の途中には、浴槽３から流入する湯の温度を検出するふろ戻りサーミスタ５１、ふろ戻り配管３３において上流側から下流側へ湯を圧送するポンプ５２、ふろ戻り配管３３内を水（湯）が流れたことを検出するふろ水流スイッチ５３、及びふろ戻り配管３３内の圧力に基づいて浴槽３内の水位を検出する水位センサ５４などが設けられている。
【００２４】
ちなみに、ふろ戻り配管３３は、浴槽３内の湯をふろ二次熱交換器１６Ｂへと圧送する際には、上述の通り、バスアダプタ５０側が上流端、ふろ二次熱交換器１６Ｂ側が下流端となる配管であるが、分岐管３５を介して浴槽３への給湯を行う際には、ふろ戻り配管３３と分岐管３５との合流点からバスアダプタ５０側へ向かって湯が逆向きに流れる状態になる。
【００２５】
ふろ往き配管３４は、下流端側がバスアダプタ５０を介して浴槽３に取り付けられている。ふろ往き配管３４の上流端側から下流端側に至る流路の途中には、空だきを感知した際に給湯器１を強制停止させるためのふろ空だき安全装置５５、ふろ一次熱交換器１６Ａから流出する湯の温度を検出するふろ往きサーミスタ５６が設けられている。
【００２６】
また、給湯器１が備える各種配管には、水抜き栓５７Ａ，５７Ｂ，５７Ｃ，５７Ｅ，５７Ｆが設けられ、これらの水抜き栓５７Ａ〜５７Ｆを開くことで、配管内の水を器外へ排出可能に構成されている。
【００２７】
加えて、給湯器１は、給湯器能やふろ機能の作動状態を制御するためのコントローラ６０（本明細書でいう制御部の一例に相当。）、浴室外に配設される給湯リモコン６１、及び浴室内に配設されるふろリモコン６２を備えている。コントローラ６０は、ＣＰＵ，ＲＯＭ，ＲＡＭなどを備えたマイクロコンピュータを内蔵しており、上述した各種センサ（給湯フレームロッド１４、ふろフレームロッド１８、給湯入水サーミスタ３８、給湯熱交換器サーミスタ４１、給湯出湯サーミスタ４２、ふろ戻りサーミスタ５１、ふろ往きサーミスタ５６等。）から情報を入力するとともに、上述した各種電磁弁（元ガス電磁弁２７、ガス比例弁２８、給湯ガス電磁弁２９１〜２９３、ふろガス電磁弁２９４、落とし込み水電磁弁４６等。）、各種モータ（ファンモータ２３Ａ、水量制御モータ３９、バイパス制御モータ４５）、ポンプ５２などの作動を制御する。
【００２８】
また、コントローラ６０は、長期使用状態に至った場合に、その旨の履歴情報を不揮発性メモリ（本明細書でいう履歴記憶部の一例に相当。）に記憶するように構成されている。なお、本実施形態の場合、給湯器１が使用開始から保守・点検を受けないまま１０年以上にわたって使われている場合、あるいは最後に保守・点検を受けてから１０年以上にわたって使われている場合に、長期使用状態に至ったと判断されて、その旨の履歴情報が不揮発性メモリに記憶される。
【００２９】
給湯リモコン６１及びふろリモコン６２は、双方とも利用者からの入力操作を受け付ける入力部と利用者に対する情報表示や音出力を行う出力部などのユーザーインターフェースを備え、入力部から入力された情報がコントローラ６０へ伝達されるとともに、コントローラ６０から伝達される情報に基づいて出力部から情報表示や音出力を行う仕組みになっている。入力部には、給湯器１を運転状態にするか運転停止状態にするかを切り替え可能な運転スイッチを含む複数のスイッチが設けられている。
【００３０】
給湯リモコン６１及びふろリモコン６２から出力される音としては、利用者に対して注意喚起するための警報音又は警報メッセージ、各種スイッチが操作された際に出力される受付音などがある。また、給湯リモコン６１及びふろリモコン６２は、給湯リモコン６１とふろリモコン６２との間で利用者が通話を実行可能に構成されている。給湯リモコン６１及びふろリモコン６２のうち、いずれか一方のリモコンにおいて利用者が通話を開始するための操作を行うと、他方のリモコンにおいては呼び出し音が出力される。この呼び出し音に応じて、他方のリモコンにおいて所定の操作を行うと、給湯リモコン６１とふろリモコン６２との間で通話を開始することができる。
【００３１】
［給湯操作時の作動状態］
次に、利用者が給湯操作を行ったときの給湯器１の作動状態について、その概要を説明する。利用者が出湯箇所にある給湯栓を開くと、水入口より流入した水は、給湯水量センサ３７、給湯二次熱交換器１２Ｂを経て給湯一次熱交換器１２Ａへと向かう。このとき、給湯水量センサ３７からは、流速に応じた周波数の信号が出力され、この信号が規定周波数に達したことをコントローラ６０が感知すると、コントローラ６０はファンモータ２３Ａを制御して燃焼ファン２３を回転させる。
【００３２】
燃焼ファン２３が回転してプリパージ動作が行われた後、元ガス電磁弁２７と給湯ガス電磁弁２９１〜２９３が同時に開かれ、ガス比例弁２８が緩点火動作となり、給湯バーナ１１にガスが供給される。これと同時に給湯点火プラグ１３から連続的に放電して給湯バーナ１１に点火する。点火後、給湯フレームロッド１４にて炎を検知し燃焼していることを確認したら緩点火動作を終了する。
【００３３】
緩点火動作を終了すると、続いて比例制御が開始される。給湯出湯サーミスタ４２で検出した湯温と利用者が任意に設定する設定温度との間に差があると、そのことをコントローラ６０が判断し、給湯ガス電磁弁２９１〜２９３の開閉及びガス比例弁２８によって、ガス量を連続的に変化させて出湯温度を一定に保つ。また、水量制御モータ３９により適切な水量に調節を行うため、常に最大能力の出湯量を確保する。このとき、コントローラ６０からは、ガス比例弁２８によるガス量の変化に応じて、ファンモータ２３Ａへ信号が送られ、これにより、常にガス量と空気量の関係が一定に保たれる。
【００３４】
以上のような給湯が行われている状況において、利用者が給湯栓を閉じると、給湯水量センサ３７からの周波数の信号がなくなるので、コントローラ６０は、元ガス電磁弁２７、給湯ガス電磁弁２９１〜２９３を閉じて消火し、ポストパージ動作に入る。その後、ポストパージ動作がタイムアップすると、燃焼ファン２３は停止する。
【００３５】
［ふろ操作時の作動状態］
次に、利用者がふろ操作を行ったときの給湯器１の作動状態について、その概要を説明する。利用者が給湯リモコン６１又はふろリモコン６２の自動スイッチを押すと、落とし込み水電磁弁４６がオンとされ、給湯水量センサ３７がオンとなって給湯燃焼動作を開始する。湯は、逆止弁４８Ａ，４８Ｂ、ふろ水量センサ４７を通って浴槽３に給湯される。その後、ふろ水量センサ４７で検出した水量が設定水量になれば、落とし込み水電磁弁４６がオフとされ、給湯水量センサ３７がオフとなって給湯燃焼が止まる。
【００３６】
次に、ポンプ５２が作動し、湯の循環を始める。湯が循環していることはふろ水流スイッチ５３によって検出される。このとき、ふろ戻りサーミスタ５１で感知した温度が設定温度以下であれば、コントローラ６０はファンモータ２３Ａを制御して燃焼ファン２３を回転させる。燃焼ファン２３が回転し、回転数の信号がコントローラ６０に伝えられたら、その後、元ガス電磁弁２７、ふろガス電磁弁２９４が開かれ、ふろバーナ１５にガスが供給されるのと同時にふろ点火プラグ１７から連続的に放電する。
【００３７】
ふろバーナ１５に点火すると、ふろフレームロッド１８により炎を感知し、点火プラグによる放電を停止し、ふろの加熱を始める。ポンプ５２にて循環されているふろの湯が設定温度に達すると、ふろ戻りサーミスタ５１にて温度を感知して、ふろバーナ１５を消火し、ポンプ５２を停止する。その後、沸き上がりを知らせる、お知らせブザーを鳴らす。
【００３８】
以上のような追い焚き燃焼が停止し、その後、浴槽３湯温確認までのインターバル時間が経過したら、ポンプ５２のみを作動させて、ふろの湯を循環させる。このとき、ふろの温度が設定温度より下がっていれば、追い焚きを行う。その後、ふろの温度が設定温度以上になれば、ポンプ５２の作動はそこで止まり、またインターバル時間が経過した後にポンプ５２が作動し、上記同様の動作を繰り返す。なお、これらの一連の動作は、給湯リモコン６１又はふろリモコン６２の自動スイッチを押すと停止する。
【００３９】
［給湯器において実行される処理］
以下、本実施形態の給湯器１において実行される処理について、図２−図４に基づいて説明する。以下に説明する処理は、給湯リモコン６１又はふろリモコン６２において「運転ボタン」が操作されて給湯器１の運転状態がオンとされた場合にコントローラ６０において実行される処理である。
【００４０】
図２に示す処理を開始すると、コントローラ６０は、まず、運転開始処理を実行する（Ｓ１１）。Ｓ１１では、給湯器１が備える各部の初期化処理などが実行され、必要があれば外気温等の情報を取得する処理や自己診断処理等も実行されるが、これらの各種処理は周知の処理と差異がないので、これ以上の説明は省略する。
【００４１】
続いて、コントローラ６０は、給湯器１が長期使用状態に至っているか否かを判断する（Ｓ１３）。なお、Ｓ１３を実行するコントローラ６０が本明細書でいう判定部の一例に相当する。本実施形態の場合、給湯器１が使用開始から保守・点検を受けないまま１０年以上にわたって使われている場合、あるいは最後に保守・点検を受けてから１０年以上にわたって使われている場合に、給湯器１が長期使用状態に至っていると判断される。
【００４２】
Ｓ１３において、給湯器１が長期使用状態に至っていないと判断された場合（Ｓ１３：ＮＯ）、コントローラ６０は、利用者による設定が自動消灯機能をオンにする設定か否かを判断する（Ｓ１５）。自動消灯機能は、給湯リモコン６１又はふろリモコン６２において利用者による操作が行われたときに各リモコンにおいて表示部が点灯して各種情報を表示し、その後、所定の時間（例えば３０秒。）が経過すると表示部が消灯して各種情報の表示を終了する、という機能である。
【００４３】
自動消灯機能をオン（有効）にするかオフ（無効）にするかは、あらかじめ利用者が任意に設定することができ、利用者がいずれを設定したのかは、コントローラ６０が備える不揮発性メモリに記憶されている。Ｓ１５では、コントローラ６０が備える不揮発性メモリから自動消灯機能に関する情報を読み出して、自動消灯機能をオンにする設定か否かを判断する。
【００４４】
Ｓ１５において、利用者による設定が自動消灯機能をオンにする設定であった場合（Ｓ１５：ＹＥＳ）、コントローラ６０は、自動消灯処理を実行する（Ｓ１７）。この自動消灯処理の詳細については後述するが、自動消灯処理を実行する中で「運転ボタン」が操作されて給湯器１の運転状態がオフとされた場合にはＳ１７を終了する。この場合、コントローラ６０は、運転終了処理を実行して（Ｓ１９）、図２に示す処理を終了する。Ｓ１９では、給湯器１の運転を終了する上で必要となる各種処理が実行されるが、これらの各種処理は周知の処理と差異がないので、これ以上の説明は省略する。
【００４５】
一方、Ｓ１５において、利用者による設定が自動消灯機能をオフにする設定であった場合（Ｓ１５：ＮＯ）、コントローラ６０は、常時点灯処理を実行する（Ｓ２１）。この常時点灯処理の詳細については後述するが、常時点灯処理を実行する中で「運転ボタン」が操作されて給湯器１の運転状態がオフとされた場合にはＳ２１を終了する。この場合、コントローラ６０は、上述の運転終了処理を実行して（Ｓ１９）、図２に示す処理を終了する。
【００４６】
また、Ｓ１３において、給湯器１が長期使用状態に至っていると判断された場合（Ｓ１３：ＹＥＳ）、コントローラ６０は、給湯器１が長期使用状態に至っている旨の履歴情報を、コントローラ６０の有する不揮発性メモリに記憶する（Ｓ２３）。そして、コントローラ６０は、利用者による設定が自動消灯機能をオンにする設定か否かを判断する（Ｓ２５）。Ｓ２５では、Ｓ１５と同様な処理が実行される。
【００４７】
ただし、Ｓ２５において、利用者による設定が自動消灯機能をオンにする設定であった場合（Ｓ２５：ＹＥＳ）、コントローラ６０は、常時点灯処理を実行する（Ｓ２７）。Ｓ２７は、Ｓ１７と同様な処理である。また、Ｓ２５において、利用者による設定が自動消灯機能をオフにする設定であった場合（Ｓ２５：ＮＯ）、コントローラ６０は、自動消灯処理を実行する（Ｓ２９）。Ｓ２９は、Ｓ２１と同様な処理である。Ｓ２７又はＳ２９を終えた場合、コントローラ６０は、運転終了処理を実行して（Ｓ１９）、図２に示す処理を終了する。
【００４８】
［自動消灯処理］
次に、上述のＳ１７及びＳ２９において実行される自動消灯処理について、図３に基づいて説明する。この処理を開始すると、コントローラ６０は、給湯リモコン６１又はふろリモコン６２において利用者による操作が行われたか否かを判断する（Ｓ３１）。Ｓ３１が最初に実行されるのは、給湯リモコン６１又はふろリモコン６２において「運転ボタン」が操作されてコントローラ６０において図２に示す処理が実行された直後なので、Ｓ３１では利用者操作ありと判断される（Ｓ３１：ＹＥＳ）。この場合、コントローラ６０は、利用者操作が運転停止操作か否かを判断する（Ｓ３３）。
【００４９】
運転停止操作は、給湯リモコン６１又はふろリモコン６２において「運転ボタン」が操作されて給湯器１の運転状態がオフとされる場合の操作である。Ｓ３３が最初に実行されるのは、給湯リモコン６１又はふろリモコン６２において「運転ボタン」が操作されて給湯器１の運転状態がオンとされる場合に該当するので、Ｓ３３では利用者操作が運転停止操作ではないと判断される（Ｓ３３：ＮＯ）。この場合、コントローラ６０は、表示の消灯中か否かを判断する（Ｓ３５）。
【００５０】
Ｓ３５が最初に実行されるのは、給湯リモコン６１又はふろリモコン６２において「運転ボタン」が操作されてコントローラ６０において図２に示す処理が実行された直後なので、Ｓ３５では表示の消灯中であると判断される（Ｓ３５：ＹＥＳ）。この場合、コントローラ６０は、給湯リモコン６１又はふろリモコン６２の表示部における表示を点灯して（Ｓ３７）、Ｓ３９へと進む。なお、表示部における表示の初回点灯は上述のＳ１１において実行してもよく、その場合は、Ｓ３５では表示の点灯中であると判断されるので（Ｓ３５：ＮＯ）、Ｓ３７を実行することなくＳ３９へと進む。
【００５１】
Ｓ３９では、コントローラ６０は、表示の消灯までの時間を計測するためのタイマーをリセットする（Ｓ３９）。ここでリセットされるタイマーは、後述するＳ４３での判断時に利用される。Ｓ３９を終えたら、利用者操作に対応する処理を起動する（Ｓ４１）。Ｓ４１では、複数通りある利用者操作のそれぞれに対応して様々な処理（例えば、湯張り処理、追い焚き処理、設定温度の変更処理等々。）が起動され得るが、それらの処理そのものは周知の処理と差異がないので、これ以上の説明は省略する。Ｓ４１を終えたらＳ３１へと戻る。
【００５２】
Ｓ３１へと戻った場合、２回目以降に実行されたＳ３１では、利用者操作なしと判断されることもある（Ｓ３１：ＮＯ）。この場合、コントローラ６０は、表示の点灯中か否かを判断する（Ｓ４３）。Ｓ４３において、表示の点灯中であった場合（Ｓ４３：ＹＥＳ）、コントローラ６０は、Ｓ３９においてタイマーがリセットされてから所定時間（例えば３０秒。）が経過したか否かを判断する（Ｓ４４）。Ｓ４４において所定時間が経過していなければ（Ｓ４４：ＮＯ）、Ｓ３１へと戻る。これにより、利用者操作がなく、かつ表示の点灯中であり、かつ所定時間が経過していない場合には（Ｓ３１：ＮＯ、Ｓ４３：ＹＥＳ、かつＳ４４：ＮＯ）、Ｓ３１、Ｓ４３及びＳ４４の判断を繰り返しながら待機する。なお、この待機期間中に再び利用者操作が行われた場合には（Ｓ３１：ＹＥＳ）、Ｓ３３以降の処理ステップが実行されることになる。
【００５３】
一方、Ｓ３１、Ｓ４３及びＳ４４の判断を繰り返しながら待機している間に所定時間が経過した場合には（Ｓ４４：ＹＥＳ）、コントローラ６０は、給湯リモコン６１又はふろリモコン６２の表示部における表示を消灯して（Ｓ４５）、Ｓ３１へと戻る。以降、利用者操作がなく、かつ表示の消灯中である場合には（Ｓ３１：ＮＯ、かつＳ４３：ＮＯ）、Ｓ３１及びＳ４３の判断を繰り返しながら待機する。なお、この待機期間中に再び利用者操作が行われた場合には（Ｓ３１：ＹＥＳ）、Ｓ３３以降の処理ステップが実行されることになる。
【００５４】
また、上述のような待機期間中に再び利用者操作が行われた際（Ｓ３１：ＹＥＳ）、その利用者操作が上述の運転停止操作であった場合（Ｓ３３：ＹＥＳ）、コントローラ６０は、表示の点灯中か否かを判断する（Ｓ４７）。Ｓ４７において、表示の点灯中であった場合（Ｓ４７：ＹＥＳ）、コントローラ６０は、給湯リモコン６１又はふろリモコン６２の表示部における表示を消灯して（Ｓ４９）、図３に示す処理を終了する。また、Ｓ４７において、表示の点灯中ではなかった場合（Ｓ４７：ＮＯ）、コントローラ６０は、Ｓ４９を実行することなく、図３に示す処理を終了する。
【００５５】
［常時点灯処理］
次に、上述のＳ２１及びＳ２７において実行される常時点灯処理について、図４に基づいて説明する。この処理を開始すると、コントローラ６０は、給湯リモコン６１又はふろリモコン６２の表示部における表示を点灯して（Ｓ５１）、給湯リモコン６１又はふろリモコン６２において利用者による操作が行われたか否かを判断する（Ｓ５３）。Ｓ５３が最初に実行されるのは、給湯リモコン６１又はふろリモコン６２において「運転ボタン」が操作されてコントローラ６０において図２に示す処理が実行された直後なので、Ｓ５１では利用者操作ありと判断される（Ｓ５１：ＹＥＳ）。この場合、コントローラ６０は、利用者操作が運転停止操作か否かを判断する（Ｓ５５）。
【００５６】
上述したＳ３３同様、Ｓ５５が最初に実行されるのは、給湯リモコン６１又はふろリモコン６２において「運転ボタン」が操作されて給湯器１の運転状態がオンとされる場合に該当するので、Ｓ５５では利用者操作が運転停止操作ではないと判断される（Ｓ５５：ＮＯ）。この場合、コントローラ６０は、利用者操作に対応する処理を起動する（Ｓ５７）。Ｓ５７はＳ４１と同等な処理であり、Ｓ５７を終えたらＳ５３へと戻る。
【００５７】
Ｓ５３へと戻った場合、２回目以降に実行されたＳ５３では、利用者操作なしと判断されることもある（Ｓ５３：ＮＯ）。この場合は、Ｓ５３へと戻ることにより、Ｓ５３の判断を繰り返しながら待機する。なお、この待機期間中に再び利用者操作が行われた場合には（Ｓ５３：ＹＥＳ）、Ｓ５５以降の処理ステップが実行されることになる。
【００５８】
上述のような待機期間中に再び利用者操作が行われた際（Ｓ５３：ＹＥＳ）、その利用者操作が上述の運転停止操作であった場合（Ｓ５５：ＹＥＳ）、コントローラ６０は、給湯リモコン６１又はふろリモコン６２の表示部における表示を消灯して（Ｓ５９）、図３に示す処理を終了する。
【００５９】
［効果］
以上説明したように、上記給湯器１によれば、給湯器１が所定以上の長期間にわたって使用された長期使用状態に至っていない場合（Ｓ１３：ＮＯ）と長期使用状態に至った場合（Ｓ１３：ＹＥＳ）とで、給湯リモコン６１又はふろリモコン６２の表示部において表示される情報の表示状態が変更される（Ｓ１７，Ｓ２１，Ｓ２７，Ｓ２９）。なお、これらＳ１７，Ｓ２１，Ｓ２７，Ｓ２９を実行するコントローラ６０が、本明細書でいう表示状態変更部の一例に相当する。
【００６０】
利用者は通常であれば表示状態が変わるとは考えていないため、変わるはずのない表示状態が変わった場合には、利用者が違和感を覚え、機器の故障等を疑う。特に、上記給湯器１の場合、Ｓ２１によって過去には情報が常時表示されていたはずなのに、利用者が予期しない時点からＳ２９が実行されるようになると、所定時間が経過すると表示が消灯されるようになるため、利用者が違和感を覚え、機器の故障等を疑う。あるいは、Ｓ１７によって過去には所定時間が経過すると表示が消灯されていたはずなのに、利用者が予期しない時点からＳ２７が実行されるようになると、情報が消灯されないまま常時表示されるようになるため、利用者が違和感を覚え、機器の故障等を疑う。
【００６１】
したがって、利用者が機器の故障等を直したいと考えれば、利用者が業者への問い合わせを行う可能性を高めることができ、利用者が保守・点検を受けないまま給湯器１を使い続けてしまうのを抑制することができる。
【００６２】
また、上記給湯器１の場合、Ｓ２１によって情報を常時表示するか（すなわち、本明細書でいう第一の表示状態とするか）、Ｓ１７によって所定時間が経過すると表示を消灯するか（すなわち、本明細書でいう第二の表示状態とするか）を、利用者が任意に設定できる。したがって、利用者の好みに合わせて、より利便性の高い方を通常の表示状態として選択することができる。
【００６３】
また、上記給湯器１の場合、Ｓ２３を実行することによって長期使用状態に至ったと判定された旨の履歴情報がコントローラ６０の不揮発性メモリに記憶される。したがって、専門の技術者が現場へ訪問した際には、履歴情報を確認することにより、長期使用状態に至ったことに起因して表示状態に変化があったのか、真の故障に起因して表示状態に変化があったのかを、容易に判断することができる。
【００６４】
（２）第二実施形態
次に、第二実施形態について説明する。なお、第二実施形態以降の各実施形態は、先に説明を終えた実施形態で例示した構成の一部を変更しただけなので、先に説明を終えた実施形態との相違点を中心に詳述し、先に説明を終えた実施形態と同様な部分に関しては、その詳細な説明を省略する。
【００６５】
［給湯器において実行される処理］
以下、第二実施形態における処理について、図５に基づいて説明する。
図５に示す処理を開始すると、コントローラ６０は、まず、給湯器１が長期使用状態に至っているか否かを判断する（Ｓ６１）。なお、Ｓ６１を実行するコントローラ６０が本明細書でいう判定部の一例に相当する。第二実施形態においても、給湯器１が使用開始から保守・点検を受けないまま１０年以上にわたって使われている場合、あるいは最後に保守・点検を受けてから１０年以上にわたって使われている場合に、給湯器１が長期使用状態に至っていると判断される
Ｓ６１において、給湯器１が長期使用状態に至っていないと判断された場合（Ｓ６１：ＮＯ）、コントローラ６０は、給湯リモコン６１及びふろリモコン６２の表示部における輝度を利用者の設定通りに調節する（Ｓ６３）。本実施形態の場合、利用者が給湯リモコン６１及びふろリモコン６２で設定操作を行うことにより、表示部の輝度を０〜３の数値で指定して四段階（０：暗い、１：やや暗い、２：標準、３：明るい。）に変更することができる（初期設定は２：標準。）。利用者が表示部の輝度を四段階のいずれに設定したのかはコントローラ６０が備える不揮発性メモリに記憶される。Ｓ６３では、不揮発性メモリから読み出される設定値に基づいて、表示部の輝度が調節される。
【００６６】
なお、Ｓ６３を終えた後は、他の処理が実行される（Ｓ６５）。Ｓ６５では、複数通りある利用者操作のそれぞれに対応して様々な処理（例えば、湯張り処理、追い焚き処理、設定温度の変更処理等々。）が実行され得るが、それらの処理そのものは周知の処理と差異がないので、これ以上の説明は省略する。
【００６７】
一方、Ｓ６１において、給湯器１が長期使用状態に至っていると判断された場合（Ｓ６１：ＹＥＳ）、コントローラ６０は、給湯器１が長期使用状態に至っている旨の履歴情報を、コントローラ６０の有する不揮発性メモリに記憶する（Ｓ６７）。そして、コントローラ６０は、表示輝度の利用者設定が中間値より明るい側か否かを判断する（Ｓ６９）。本実施形態の場合、表示輝度は上述の四段階に変更可能なので、Ｓ６９では、表示輝度の利用者設定が２（標準）か３（明るい）の場合に中間値（本実施形態の場合は１．５。）より明るい側であると判断する。また、表示輝度の利用者設定が０（暗い）か１（やや暗い）の場合に中間値より暗い側であると判断する。
【００６８】
Ｓ６９において、表示輝度の利用者設定が中間値より明るい側であった場合（Ｓ６９：ＹＥＳ）、コントローラ６０は、給湯リモコン６１及びふろリモコン６２の表示部における輝度を最も暗くなるように調節する（Ｓ７１）。これにより、表示輝度の利用者設定が２（標準）か３（明るい）とされているにもかかわらず、実際の表示部の輝度は０（暗い）と同様の輝度に調節される。なお、Ｓ７１を終えたら上述のＳ６３へと進む。
【００６９】
一方、Ｓ６９において、表示輝度の利用者設定が中間値より暗い側であった場合（Ｓ６９：ＮＯ）、コントローラ６０は、給湯リモコン６１及びふろリモコン６２の表示部における輝度を最も明るくなるように調節する（Ｓ７３）。これにより、表示輝度の利用者設定が０（暗い）か１（やや暗い）とされているにもかかわらず、実際の表示部の輝度は３（明るい）と同様の輝度に調節される。なお、Ｓ７３を終えたら上述のＳ６３へと進む。
【００７０】
［効果］
以上説明したように、上記給湯器１によれば、給湯器１が所定以上の長期間にわたって使用された長期使用状態に至っていない場合（Ｓ６１：ＮＯ）と長期使用状態に至った場合（Ｓ６１：ＹＥＳ）とで、給湯リモコン６１又はふろリモコン６２の表示部における輝度が変更される（Ｓ６３，Ｓ７１，Ｓ７３）。なお、これらＳ６３，Ｓ７１，Ｓ７３を実行するコントローラ６０が、本明細書でいう表示状態変更部の一例に相当する。
【００７１】
利用者は通常であれば表示部の輝度が変わるとは考えていないため、変わるはずのない表示部の輝度が変わった場合には、利用者が違和感を覚え、機器の故障等を疑う。したがって、利用者が機器の故障等を直したいと考えれば、利用者が業者への問い合わせを行う可能性を高めることができ、利用者が保守・点検を受けないまま給湯器１を使い続けてしまうのを抑制することができる。
【００７２】
また、上記給湯器１の場合、利用者が表示部の輝度を明るめに設定している場合には（Ｓ６９：ＹＥＳ）、Ｓ７１によって輝度を最も低輝度に調節する。一方、利用者が表示部の輝度を暗めに設定している場合には（Ｓ６９：ＮＯ）、Ｓ７３によって輝度を最も高輝度に調節する。このようにすれば、必ず二段階以上に相当する大きな輝度変化が発生するので、利用者が自分の好み（暗め又は明るめ）とは異なる方向へ輝度が大きく変化し、そのような変化を感じ取りやすくすることができる。
【００７３】
なお、上記給湯器１においても、第一実施形態と同様に、Ｓ６７を実行することによって履歴情報がコントローラ６０の不揮発性メモリに記憶される。したがって、長期使用状態に至ったことに起因して表示輝度に変化があったのか、真の故障に起因して表示輝度に変化があったのかを、容易に判断することができる。
【００７４】
（３）第三実施形態
次に、第三実施形態について説明する。
［給湯器において実行される処理］
以下、第三実施形態における処理について、図６に基づいて説明する。
【００７５】
図６に示す処理を開始すると、コントローラ６０は、まず、給湯器１が長期使用状態に至っているか否かを判断する（Ｓ８１）。なお、Ｓ８１を実行するコントローラ６０が本明細書でいう判定部の一例に相当する。第三実施形態においても、給湯器１が使用開始から保守・点検を受けないまま１０年以上にわたって使われている場合、あるいは最後に保守・点検を受けてから１０年以上にわたって使われている場合に、給湯器１が長期使用状態に至っていると判断される
Ｓ８１において、給湯器１が長期使用状態に至っていないと判断された場合（Ｓ８１：ＮＯ）、コントローラ６０は、給湯リモコン６１及びふろリモコン６２の表示部において、全ての表示項目を点灯表示する（Ｓ８３）。なお、Ｓ８３を終えた後は、他の処理が実行される（Ｓ８５）。Ｓ８５では、複数通りある利用者操作のそれぞれに対応して様々な処理（例えば、湯張り処理、追い焚き処理、設定温度の変更処理等々。）が実行され得るが、それらの処理そのものは周知の処理と差異がないので、これ以上の説明は省略する。
【００７６】
一方、Ｓ８１において、給湯器１が長期使用状態に至っていると判断された場合（Ｓ８１：ＹＥＳ）、コントローラ６０は、給湯器１が長期使用状態に至っている旨の履歴情報を、コントローラ６０の有する不揮発性メモリに記憶する（Ｓ８７）。そして、コントローラ６０は、給湯リモコン６１及びふろリモコン６２の表示部において、全ての表示項目のうち、一部の表示項目を点灯表示し、残りの表示項目を点滅表示する（Ｓ８９）。
【００７７】
全ての表示項目のうち、いずれの表示項目を点灯表示し、いずれの表示項目を点滅表示するかは、各表示項目の重要度等も考慮してあらかじめ取り決めてある。すなわち、点滅表示に変更されることにより、過度に見にくくなる表示項目や、点滅時には別の意味を持たせてある表示項目については、点滅対象から除外され、それ以外の表示項目が点滅対象に選定されている。なお、Ｓ８９を終えたら上述のＳ８５へと進む。
【００７８】
［効果］
以上説明したように、上記給湯器１によれば、給湯器１が所定以上の長期間にわたって使用された長期使用状態に至っていない場合（Ｓ８１：ＮＯ）と長期使用状態に至った場合（Ｓ８１：ＹＥＳ）とで、給湯リモコン６１又はふろリモコン６２の表示部に表示される表示項目の一部について、点灯表示されるか点滅表示されるかが変更される（Ｓ８３，Ｓ８９）。なお、これらＳ８３，Ｓ８９を実行するコントローラ６０が、本明細書でいう表示状態変更部の一例に相当する。
【００７９】
利用者は通常であれば表示部の点灯／点滅状態が変わるとは考えていないため、変わるはずのない表示部の点灯／点滅状態が変わった場合には、利用者が違和感を覚え、機器の故障等を疑う。したがって、利用者が機器の故障等を直したいと考えれば、利用者が業者への問い合わせを行う可能性を高めることができ、利用者が保守・点検を受けないまま給湯器１を使い続けてしまうのを抑制することができる。
【００８０】
また、上記給湯器１の場合、表示部に表示されている情報全ての表示状態が変更されることはない。したがって、例えば、重要な情報については点滅状態に変更されないようにしておくことができ、これにより、重要な情報の表示状態がより見にくい表示状態に変更されてしまうのを抑制することができる。
【００８１】
なお、上記給湯器１においても、第一、第二実施形態と同様に、Ｓ８７を実行することによって履歴情報がコントローラ６０の不揮発性メモリに記憶される。したがって、長期使用状態に至ったことに起因して表示部の点灯／点滅状態に変化があったのか、真の故障に起因して表示部の点灯／点滅状態に変化があったのかを、容易に判断することができる。
【００８２】
（４）補足
以上、給湯器について、例示的な実施形態を挙げて説明したが、上述の実施形態は本発明の一態様として例示されるものに過ぎない。すなわち、本発明は、上述の例示的な実施形態に限定されるものではなく、本発明の技術的思想を逸脱しない範囲内において、様々な形態で実施することができる。
【００８３】
例えば、上記各実施形態では、給湯リモコン６１又はふろリモコン６２の表示部に表示される表示項目の表示状態が変更される旨を説明したが、これは、給湯リモコン６１における表示状態のみが変更されるように構成されていてもよいし、ふろリモコン６２における表示状態のみが変更されるように構成されていてもよいし、給湯リモコン６１及びふろリモコン６２の双方における表示状態が変更されるように構成されていてもよい。
【００８４】
また、上記各実施形態では、上述の各処理において、Ｓ２３，Ｓ６７，Ｓ８７の処理ステップを実行していたが、これらの処理ステップを、上述の各処理とは別処理にして、上述の各処理とは異なるタイミングで実行されるようにしてもよい。その場合、上述の各処理においては、上記Ｓ２３，Ｓ６７，Ｓ８７の処理ステップを省略してもよい。また、上述の各処理とは別処理で履歴情報を記憶する場合、上述の各処理においては、上記Ｓ２３，Ｓ６７，Ｓ８７の処理ステップに代えて、上記のような別処理によって記憶される履歴情報がコントローラの有する不揮発性メモリに記憶されているか否かを判断する処理ステップを採用してもよい。
【００８５】
なお、以上説明した例示的な実施形態から明らかなように、本明細書で説明した給湯器は、更に以下に挙げるような構成を備えていてもよい。
まず、本明細書で説明した給湯器において、表示部は、情報を常時表示する第一の表示状態、及び情報の表示後に所定の消灯条件が成立すると表示を消灯する第二の表示状態で、情報を表示可能に構成され、表示状態変更部は、判定部によって長期使用状態に至っていないと判定された場合には、第一の表示状態及び第二の表示状態のうち、いずれか一方の表示状態で情報を表示し、判定部によって長期使用状態に至ったと判定された場合には、一方の表示状態とは異なる他方の表示状態で情報を表示するように構成されていてもよい。
【００８６】
このように構成された給湯器によれば、給湯部が所定以上の長期間にわたって使用された長期使用状態に至っていない場合と長期使用状態に至った場合とで、表示部において表示される情報の表示状態が、上述した第一の表示状態及び第二の表示状態のうちのいずれか一方から他方に変更される。そのため、例えば、過去には情報が常時表示されていたはずなのに、利用者が予期しない時点から、所定の消灯条件が成立（例えば、所定時間が経過）すると表示が消灯されるようになるため、利用者が違和感を覚え、機器の故障等を疑う。あるいは、過去には所定の消灯条件が成立（例えば、所定時間が経過）すると表示が消灯されていたはずなのに、利用者が予期しない時点から、情報が消灯されないまま常時表示されるようになるため、利用者が違和感を覚え、機器の故障等を疑う。したがって、利用者が機器の故障等を直したいと考えれば、利用者が業者への問い合わせを行う可能性を高めることができ、利用者が保守・点検を受けないまま給湯器を使い続けてしまうのを抑制することができる。
【００８７】
また、本明細書で説明した給湯器において、表示部は、判定部によって長期使用状態に至っていないと判定された場合に、第一の表示状態及び第二の表示状態のうち、いずれの表示状態で情報を表示するのかを、利用者が任意に設定可能に構成されていてもよい。
【００８８】
このように構成された給湯器によれば、上述した第一の表示状態及び第二の表示状態のうち、いずれの表示状態を通常の表示状態とするのかを利用者が任意に設定できるので、利用者の好みに合わせて、より利便性の高い方を通常の表示状態として選択することができる。
【００８９】
また、本明細書で説明した給湯器において、表示部は、第一の輝度で情報を表示する第一の表示状態、及び第一の輝度よりも低輝度となる第二の輝度で情報を表示する第二の表示状態で、情報を表示可能に構成され、表示状態変更部は、判定部によって長期使用状態に至っていないと判定された場合には、第一の表示状態及び第二の表示状態のうち、いずれか一方の表示状態で情報を表示し、判定部によって長期使用状態に至ったと判定された場合には、一方の表示状態とは異なる他方の表示状態で情報を表示するように構成されていてもよい。
【００９０】
このように構成された給湯器によれば、給湯部が所定以上の長期間にわたって使用された長期使用状態に至っていない場合と長期使用状態に至った場合とで、表示部において表示される情報の表示状態が、上述した第一の表示状態及び第二の表示状態のうちのいずれか一方から他方に変更される。そのため、例えば、過去には情報が第一の輝度で表示されていたはずなのに、利用者が予期しない時点から、第一の輝度よりも低輝度の第二の輝度で情報が表示されるようになるため、表示の暗さに利用者が違和感を覚え、機器の故障等を疑う。あるいは、過去には情報が第二の輝度で表示されていたはずなのに、利用者が予期しない時点から、第二の輝度よりも高輝度の第一の輝度で情報が表示されるようになるため、表示の明るさに利用者が違和感を覚え、機器の故障等を疑う。したがって、利用者が機器の故障等を直したいと考えれば、利用者が業者への問い合わせを行う可能性を高めることができ、利用者が保守・点検を受けないまま給湯器を使い続けてしまうのを抑制することができる。
【００９１】
また、本明細書で説明した給湯器において、表示部は、点滅しない状態で情報を表示する第一の表示状態、及び点滅する状態で情報を表示する第二の表示状態で、情報を表示可能に構成され、表示状態変更部は、判定部によって長期使用状態に至っていないと判定された場合には、第一の表示状態及び第二の表示状態のうち、いずれか一方の表示状態で情報を表示し、判定部によって長期使用状態に至ったと判定された場合には、一方の表示状態とは異なる他方の表示状態で情報を表示するように構成されていてもよい。
【００９２】
このように構成された給湯器によれば、給湯部が所定以上の長期間にわたって使用された長期使用状態に至っていない場合と長期使用状態に至った場合とで、表示部において表示される情報の表示状態が、上述した第一の表示状態及び第二の表示状態のうちのいずれか一方から他方に変更される。そのため、例えば、過去には情報が点滅しない状態で表示されていたはずなのに、利用者が予期しない時点から、情報が点滅する状態で表示されるようになるため、利用者が違和感を覚え、機器の故障等を疑う。あるいは、過去には情報が点滅する状態で表示されていたはずなのに、利用者が予期しない時点から、情報が点滅しない状態で表示されるようになるため、利用者が違和感を覚え、機器の故障等を疑う。したがって、利用者が機器の故障等を直したいと考えれば、利用者が業者への問い合わせを行う可能性を高めることができ、利用者が保守・点検を受けないまま給湯器を使い続けてしまうのを抑制することができる。
【００９３】
また、本明細書で説明した給湯器において、表示状態変更部は、表示部に表示される複数項目の情報のうち、表示状態の変更が許可されている情報については、判定部による判定結果に応じて情報の表示状態を変更する一方、表示状態の変更が禁止されている情報については、情報の表示状態を変更しないように構成されていてもよい。
【００９４】
このように構成された給湯器によれば、表示されている情報全ての表示状態が変更されることはないので、例えば、重要な情報の表示状態がより見にくい表示状態に変更されてしまうのを抑制することができる。
【００９５】
また、本明細書で説明した給湯器において、制御部は、判定部によって長期使用状態に至ったと判定された場合に、その旨の履歴情報を記憶する履歴記憶部を有していてもよい。
【００９６】
このように構成された給湯器によれば、判定部によって長期使用状態に至ったと判定された旨の履歴情報が履歴記憶部に記憶される。したがって、専門の技術者が現場へ訪問した際には、履歴情報を確認することにより、長期使用状態に至ったことに起因して情報の表示状態に変化があったのか、真の故障に起因して情報の表示状態に変化があったのかを、容易に判断することができる。
【符号の説明】
【００９７】
１…給湯器、３…浴槽、５…給湯燃焼室、６…ふろ燃焼室、１１…給湯バーナ、１２Ａ…給湯一次熱交換器、１２Ｂ…給湯二次熱交換器、１３…給湯点火プラグ、１４…給湯フレームロッド、１５…ふろバーナ、１６Ａ…ふろ一次熱交換器、１６Ｂ…ふろ二次熱交換器、１７…ふろ点火プラグ、１８…ふろフレームロッド、１９…ふろ燃焼室サーミスタ、２０Ａ，２０Ｂ…ドレン排水管、２１…中和器、２１Ａ…中和器水位電極、２２…ドレンパン、２３…燃焼ファン、２３Ａ…ファンモータ、２４…排気トップ、２５…過熱防止装置、２６…ガス供給管、２６０…本管、２６１，２６２，２６３，２６４…支管、２７…元ガス電磁弁、２８…ガス比例弁、２９１，２９２，２９３…給湯ガス電磁弁、２９４…ふろガス電磁弁、３０…給水管、３１…出湯管、３２…バイパス管、３３…ふろ戻り配管、３４…ふろ往き配管、３５…分岐管、３６…ストレーナ、３７…給湯水量センサ、３８…給湯入水サーミスタ、３９…水量制御モータ、４０…給湯空だき安全装置、４１…給湯熱交換器サーミスタ、４２…給湯出湯サーミスタ、４３…過圧逃がし弁兼水抜栓、４４…水撃緩衝弁、４５…バイパス制御モータ、４６…落とし込み水電磁弁、４７…ふろ水量センサ、４８Ａ，４８Ｂ…逆止弁、４９…縁切弁、５０…バスアダプタ、５１…ふろ戻りサーミスタ、５２…ポンプ、５３…ふろ水流スイッチ、５４…水位センサ、５５…ふろ空だき安全装置、５６…ふろ往きサーミスタ、５７Ａ，５７Ｂ，５７Ｃ，５７Ｅ，５７Ｆ…水抜き栓、６０…コントローラ、６１…給湯リモコン、６２…ふろリモコン。
【図１】
0006490487.tif 000002
【図２】
0006490487.tif 000003
【図３】
0006490487.tif 000004
【図４】
0006490487.tif 000005
【図５】
0006490487.tif 000006
【図６】
0006490487.tif 000007